(57)【要約】【課題】付着生物の定着を忌避させることで、正確な水圧測定が可能な水圧計用容器および水位計を提供する。【解決手段】水圧計１は、水圧を測定する水圧検知部２と、この水圧検知部２を内蔵する水圧計用容器３とから構成されている。水圧計用容器３には、水圧検知部２へ水圧を伝達させるための導水孔３５が胴部３３に形成されている。の開口部を周囲面３７より突出した位置とする忌避部３６が形成されている。忌避部３６を円筒形状の胴部に形成された円環状凸部とすることで、忌避部３６の強度を向上させることができると共に、円柱状部材からの切削により容易に水圧計用容器３を製造することができる。【選択図】図１
2014109465.tif 000002
【特許請求の範囲】
【請求項１】
水圧を測定する水圧検知部を内蔵する水圧計用容器であって、
前記水圧検知部へ水圧を伝達させるための導水孔の開口部を周囲面より突出した位置とする忌避部が形成されていることを特徴とする水圧計用容器。
【請求項２】
前記忌避部は、前記周囲面から前記導水孔へ向かって細くなる形状に形成されている請求項１記載の水圧計用容器。
【請求項３】
前記導水孔は、胴部に形成され、
前記忌避部は、前記胴部に形成された環状凸部である請求項１または２記載の水圧計用容器。
【請求項４】
前記胴部は、円柱状に形成されている請求項３記載の水圧計用容器。
【請求項５】
水圧を測定する水圧検知部と、
前記水圧検知部を内蔵する水圧計用容器とを備えた水圧計において、
前記水圧検知部へ水圧を伝達させるための導水孔を周囲面より突出した位置とする忌避部が形成されていることを特徴とする水圧計。
【発明の詳細な説明】
【技術分野】
【０００１】
本発明は、水内に浸漬して水圧を測定する水圧計ための水圧計用容器と、それを用いた水圧計に関するものである。
【背景技術】
【０００２】
水圧計は、海に浸漬させて潮位を測定したり、河に設置して水位を測定して決壊の警報を発するために使用されたり、豪雨時に雨が道路のアンダーパスに溜まり車両が立ち往生してしまうのを防止するために使用されたり、また、ボーリング孔内の地下水の水位を測定する間隙水圧計とて使用されたりしている。
水圧を測定する構成としては、半導体を使用した電気的なものであったり、光学的なものであったりするなど、様々である。
例えば、電気式としては、半導体式水位計が特許文献１に記載されている。また、光学式水圧計として、特許文献２に記載されたものが知られている。これらの水圧計は、特許文献１に記載の投込式水位計では通水口と称され、特許文献２に記載の光学式水位計では水流入穴と称される、導水孔が設けられている。
【先行技術文献】
【特許文献】
【０００３】
【特許文献１】特開平１１−２４１９３９号公報
【特許文献２】特開２００７−３３０７５号公報
【発明の概要】
【発明が解決しようとする課題】
【０００４】
しかし、特許文献１や特許文献２に記載されているような従来の水圧計を海洋で放置して使用する場合、富士壺などの付着生物が、筐体全体に定着してしまい、その際に導水孔を覆ってしまい、塞がれてしまうことがある。そうなると、海水が導水孔に浸入しなくなるため、正確な水圧が計測できない。従って、誤った水位を通知してしまうことになる。
【０００５】
そこで本発明は、付着生物の定着を忌避させることで、正確な水圧測定が可能な水圧計用容器および水位計を提供することを目的とする。
【課題を解決するための手段】
【０００６】
本発明は、水圧を測定する水圧検知部を内蔵する水圧計用容器であって、前記水圧検知部へ水圧を伝達させるための導水孔を周囲面より突出した位置とする忌避部が形成されていることを特徴とする水圧計用容器である。
また、本発明は、水圧を測定する水圧検知部と、前記水圧検知部を内蔵する水圧計用容器とを備えた水圧計において、前記水圧検知部へ水圧を伝達させるための導水孔の開口部を周囲面より突出した位置とする忌避部が形成されていることを特徴とする水圧計である。
【０００７】
本発明によれば、忌避部により導水孔の開口部を周囲面より突出した位置とすることにより、付着生物が定着する場所としては忌避部が不安定な状態であるため、付着生物が周囲面に定着しても、付着生物が忌避部に付着することを抑止することができる。従って、水圧を測定するための導水孔への流入を確保することができる。
【０００８】
前記忌避部が、前記周囲面から前記導水孔へ向かって細くなる形状に形成されていると、導水孔の位置を更に付着生物に取って不安定な場所とすることができると共に、忌避部の強度を向上させることができる。
【０００９】
前記導水孔が胴部に形成され、前記忌避部を前記胴部に形成された環状凸部とするのが望ましい。忌避部が環状に形成されていると、忌避部の強度を更に向上させることができる。
【００１０】
前記胴部が円柱状に形成されていると、胴部を切削して形成する際に、周囲面より切削深さを浅くするだけで、容易に円環状凸部を形成することができる。
【発明の効果】
【００１１】
本発明は、付着生物が定着する場所としては忌避部を不安定な場所とすることができるので、付着生物が忌避部に付着することを抑止することができる。従って、水圧を測定するための導水孔への流入を確保することができるので、正確な水圧測定が可能である。
【図面の簡単な説明】
【００１２】
【図１】本発明の実施の形態に係る水圧計の正面図である。
【図２】図１に示す水圧計のＡ−Ａ線断面図である。
【図３】図１に示す水圧計の一部を切り欠いて水圧検知部が見える状態の斜視図である。
【発明を実施するための形態】
【００１３】
本発明の実施の形態に係る水圧計を図面に基づいて説明する。なお、図２においては、水圧検知部の詳細を省略している。
図１から図３に示す水圧計１は、水圧検知部２が水圧計用容器３に内蔵されたものである。水圧計１は、上部にケーブル４が配線されており、地上の計測器（図示せず）にて水圧検知部２からの信号に基づいて水位を計測する。
【００１４】
図３に示すように、水圧検知部２は、耐腐食性の高いステンレス製の本体２１に、圧力を検知する半導体圧力素子と、半導体圧力素子からの信号を増幅する増幅器とが内蔵されている。本体２１の底部には水圧を検知するために軟質のカバー２２が設けられている。
【００１５】
図１に示すように、水圧計用容器３は、先端部が縮経した略円筒状に形成された容器本体３１と、ケーブル４を挿通させて容器本体３１の開口部を閉塞する蓋部３２とから構成されている。容器本体３１は、エンジニアプラスチックと称される高強度で、耐候性、耐腐食性の高い樹脂により形成されている。例えば、ジュラコン（登録商標）などが使用できる。
【００１６】
容器本体３１の胴部３３には、水圧検知部２を配置する内部の収容室３４に連通して、水圧検知部２へ水圧を伝達させるための導水孔３５が形成されている。
図１および図２に示すように、導水孔３５は、同じ高さ位置の９０°ごと、合計４ヵ所に形成されている。容器本体３１の胴部３３に形成された４ヵ所の導水孔３５の開口部は、忌避部３６により周囲面３７より突出させた位置としている。
【００１７】
忌避部３６は、容器本体３１の胴部３３を一周する円環状凸部により形成されている。導水孔３５は、この円環状凸部の頂部の平面に位置している。忌避部３６は、周囲面３７から導水孔３５へ向かって細くなる形状に形成されている。
【００１８】
容器本体３１の収容室３４は、図２に示すように、水平断面が円形状に形成されている。容器本体３１の内周面と水圧検知部２との間（水圧検知部２を内蔵する収容室３４の隙間）には、液面が導水孔３５より下となるように、圧力伝達媒体が封入されている。本実施の形態では、圧力伝達媒体としてシリコン系のオイルが封入されている。導水孔３５には、綿状体５が詰められている。この綿状体５はフィルタとして機能するものであり、綿状体５が導水孔３５に詰められていても、導水孔３５が水圧検知部２へ水圧を伝達させることの支障にはならない。
【００１９】
容器本体３１は、円柱状部材の軸線を回転中心として、円柱状部材を回転させながら、収容室３４を切削すると共に、外周面を切削して製造することができる。外周面を切削するときに、例えば、容器本体３１の底部３８から切削し始めるときには、底部３８から忌避部３６まで切削深さを同じとすることで均一な外径とする。次に、忌避部３６（導水孔３５）の位置に切削位置が到来すると、切削深さを浅くすることで、円環状凸部に形成された忌避部３６を残す。そして、再び、切削深さを戻した後、切削位置が先端部に到来すると、徐々に切削深さを深くすることで、先端部を縮経とする。導水孔３５は、切削が終わった忌避部３６の頂部に、軸線に向かって穿孔することで、形成することができる。このようにして、容器本体３１を円柱状部材から切り出すことができる。忌避部３６が円環状凸部に形成されているため、円柱状部材を回転させながら切削位置を浅くしたり深くしたりして変更するだけで忌避部３６を容易に形成することができる。
【００２０】
このように形成された水圧計１が海洋に投入されると、水圧に基づいた信号を、ケーブル４を介して出力するが、長期にわたって設置されると、富士壺や貝類が水圧計用容器３に付着する。しかし、忌避部３６が周囲面３７より突出しているため、付着生物が定着する場所としては、忌避部３６は不安定な状態である。従って、付着生物が周囲面３７に定着しても、忌避部３６に付着することを抑止することができるので、忌避部３６の頂部に位置する導水孔３５への流入を確保することができる。よって、本実施の形態に係る水圧計用容器３は、付着生物の定着を忌避させることができるので、水圧計１は正確な水圧測定が可能である。
【００２１】
この忌避部３６は、周囲面３７から導水孔３５へ向かって細くなる形状に形成されているので、導水孔３５が位置する忌避部３６の頂部を狭くすることができる。従って、忌避部３６に位置する導水孔３５を、更に付着生物に取って不安定な場所とすることができる。また、忌避部３６の底部が太くなっていることで、忌避部３６の強度を向上させることができる。
【００２２】
更に、忌避部３６が容器本体３１の胴部３３の全周にわたって突出した円環状凸部に形成されているため、導水孔３５の周りのみを突出させた場合と比較して、更に忌避部３６の強度を向上させることができる。従って、漂流物が水圧計１に衝突したり、水圧計１が流され固定物に衝突したりしても、忌避部３６の破損を抑えることができる。
【００２３】
なお、本実施の形態では、忌避部３６が円環状凸部に形成されているが、忌避部の強度が十分に確保できるのであれば、導水孔３５の周りのみを突出させてもよい。この場合、忌避部３６を円環状凸部とするより忌避部の頂部の平面をより狭く形成することができるので、付着生物の定着をより忌避させることが期待できる。
また、導水孔３５が４ヵ所に形成されているが、水圧検知部２での測定に問題がなければ、導水孔３５は１ヵ所〜３ヵ所でもよいし、５ヵ所以上でもよい。
更に、本実施の形態では、導水孔３５と共に忌避部３６が容器本体３１の胴部３３に形成されているが、導水孔を容器本体の底部や上部に形成してあれば、忌避部も導水孔の位置に合わせて形成することができる。
【産業上の利用可能性】
【００２４】
本発明は、水圧を測定するものとして好適であり、特に、水位を測定する投げ込み式の水位計に最適である。
【符号の説明】
【００２５】
１  水圧計
２  水圧検知部
２１  本体
２２  カバー
３  水圧計用容器
３１  容器本体
３２  蓋部
３３  胴部
３４  収容室
３５  導水孔
３６  忌避部
３７  周囲面
３８  底部
４  ケーブル
５  綿状体
【図１】
2014109465.tif 000003
【図２】
2014109465.tif 000004
【図３】
2014109465.tif 000005